(57)【要約】【課題】  プラズマディスプレイパネルを提供する。【解決手段】  第１基板と、第１基板と平行に配置された第２基板と、第１基板と第２基板との間に配置された隔壁と、隔壁内に形成され、基板の表示領域での反射輝度を低減させる反射防止層と、を備えるプラズマ表示装置の組立て体。これにより、隔壁内の溝を形成し、これを通じて着色の素材からなる反射防止層を形成するので、駆動中に反射輝度を低減させ、パネルのコントラストを向上させることができる。【選択図】  図２
2006114482.tif 000002
【特許請求の範囲】
【請求項１】
第１基板と、
前記第１基板と平行に配置された第２基板と、
第１基板と第２基板との間に配置されて、放電空間を区画する隔壁と、
前記隔壁内に形成され、基板の表示領域での反射輝度を低減させる反射防止層と、を備えることを特徴とするプラズマ表示装置の組立て体。
【請求項２】
前記反射防止層は、隔壁に所定形状の溝を形成し、前記溝内を埋め込んで形成されたことを特徴とする請求項１に記載のプラズマ表示装置の組立て体。
【請求項３】
前記隔壁の溝は、基板の一方向に沿って配置された隔壁の上端部から隔壁内の下方に所定深さほど引込まれた形状であることを特徴とする請求項２に記載のプラズマ表示装置の組立て体。
【請求項４】
前記隔壁の溝は、隔壁の長手方向に沿って形成されたことを特徴とする請求項２に記載のプラズマ表示装置の組立て体。
【請求項５】
前記溝は、ストライプ状の中空であることを特徴とする請求項４に記載のプラズマ表示装置の組立て体。
【請求項６】
前記反射防止層の幅は、隔壁の幅より狭く形成されたことを特徴とする請求項２に記載のプラズマ表示装置の組立て体。
【請求項７】
前記反射防止層は、隔壁の上端部表面全体をカバーし、これと同時に、前記隔壁の上端部から下方に所定深さほど形成された溝内を埋め込んで形成されたことを特徴とする請求項２に記載のプラズマ表示装置の組立て体。
【請求項８】
前記反射防止層は、隔壁の厚さ方向を貫通して形成された溝を埋め込んで形成されたことを特徴とする請求項２に記載のプラズマ表示装置の組立て体。
【請求項９】
前記反射防止層は、隔壁内に所定深さほど形成された溝内を埋め込み、埋め込まれた部分のうち一部には、排気工程中に排ガスを排出できるように溝状の排気通路部を形成したことを特徴とする請求項２に記載のプラズマ表示装置の組立て体。
【請求項１０】
前記排気通路部は、前記隔壁の長手方向に沿って隔壁の一端部から他端部まで形成されたことを特徴とする請求項９に記載のプラズマ表示装置の組立て体。
【請求項１１】
前記反射防止層は、着色された素材からなることを特徴とする請求項１に記載のプラズマ表示装置の組立て体。
【請求項１２】
前記着色された素材は、ＣａＭｇＳｉ２Ｏ８：Ｅｕ２＋であることを特徴とする請求項１１に記載のプラズマ表示装置の組立て体。
【請求項１３】
前記着色された素材は、ＣａＭｇＳｉ２Ｏ８：Ｅｕ２＋とＢａＭｇＡｌ１０Ｏ１７：Ｅｕ２＋の混合体であることを特徴とする請求項１１に記載のプラズマ表示装置の組立て体。
【発明の詳細な説明】
【技術分野】
【０００１】
本発明は、プラズマディスプレイパネル（Plasma Display Panel:PDP）に係り、より詳細には、隔壁の一部に溝を形成し、これに反射防止層を形成して反射輝度を低減させたＰＤＰ（本例でＰＤＰは’プラズマ表示装置の組立て体’の概念に含まれるものである）に関する。
【背景技術】
【０００２】
通常的に、ＰＤＰは、複数の放電電極が形成された二つの基板の間に放電ガスを注入して放電させ、これによって発生する紫外線によって蛍光体層の蛍光物質を励起させて、所望する数字、文字またはグラフィックを具現する平板表示装置をいう。
【０００３】
従来のＰＤＰは、前面基板と、背面基板と、前面基板の内面に配置された放電維持電極対と、放電維持電極対を埋め込む前面誘電体層と、前面誘電体層の表面に蒸着される保護膜層と、背面基板の内面に配置され、放電維持電極対と交差する方向に位置したアドレス電極と、アドレス電極を埋め込む背面誘電体層と、前面及び背面基板の間に配置された隔壁と、隔壁内に塗布された赤、緑、青色の蛍光体層とを備えている。
【０００４】
前記のような構造のＰＤＰは、放電維持電極対のうち、Ｙ電極とアドレス電極とに電気的信号を印加して放電セルを選択し、放電維持電極対に交互に電気的信号を印加して、前面基板の表面から面放電が立ち上がって（行われ）紫外線が発生し、選択された放電セルの蛍光体層から可視光が放出されて、静止画または動画を具現できる。
【０００５】
ところが、従来のＰＤＰは、隔壁内に塗布された赤、緑、青色の蛍光体層のそれ自体は白色を帯びているので、駆動中に選択されていない放電セルに塗布された蛍光体層の反射輝度がかなり高い。このような高い反射輝度は、明暗コントラストを低下させて画像再現時に画質を落とす原因となる。
【発明の開示】
【発明が解決しようとする課題】
【０００６】
本発明は、前記のような問題点を解決するためのものであり、隔壁の一部に溝を掘って着色の反射防止層を形成して、外光の反射輝度を低減させることができるＰＤＰを提供するところにその目的がある。
【課題を解決するための手段】
【０００７】
前記のような目的を達成するために、本発明の一側面によるＰＤＰは、第１基板と、前記第１基板と平行に配置された第２基板と、第１基板と第２基板との間に配置されて、放電空間を区画する隔壁と、前記隔壁内に形成され、基板の表示領域での反射輝度を低減させる反射防止層と、を備えることを特徴とする。
【０００８】
また、前記反射防止層は、隔壁に所定形状の溝を形成し、前記溝内を埋め込んで形成されたことを特徴とする。
【０００９】
さらに、前記隔壁の溝は、基板の一方向に沿って配置された隔壁の上端部から隔壁内の下方に所定深さほど引込まれた形状であることを特徴とする。
【００１０】
さらに、前記隔壁の溝は、隔壁の長手方向に沿って形成されたことを特徴とする。
【００１１】
また、前記反射防止層は、隔壁の上端部表面全体をカバーし、これと同時に、前記隔壁の上端部から下方に所定深さほど形成された溝内を埋め込んで形成されたことを特徴とする。
【００１２】
また、前記反射防止層は、隔壁の厚さ方向を貫通して形成された溝を埋め込んで形成されたことを特徴とする。
【００１３】
また、前記反射防止層は、隔壁内に所定深さほど形成された溝内を埋め込み、埋め込まれた部分のうち一部には、排気工程中に排ガスを排出できるように溝状の排気通路部を形成したことを特徴とする。
【００１４】
また、前記反射防止層は、着色された素材からなることを特徴とする。
【発明の効果】
【００１５】
本発明のＰＤＰによれば、次のような効果を得られる。
【００１６】
第１に、隔壁内の溝を形成し、これを通じて着色の素材からなる反射防止層が形成されているので、駆動中に反射輝度を低減させる。
【００１７】
第２に、反射輝度を低減させることにより、パネルのコントラストを向上させることができる。
【００１８】
第３に、反射防止層が形成された部分の一部を開口させて排気通路部を形成することにより、真空排気中に排ガスの排出通路を提供する。
【００１９】
第４に、排気が円滑になされるにつれて、パネル内部の不純ガスが少なくなって中央放電ムラがなくなる。
【発明を実施するための最良の形態】
【００２０】
以下で添付された図面を参照しつつ、本発明の一実施形態によるＰＤＰを詳細に説明する。
【００２１】
図１を参照すれば、通常的なＰＤＰ（本例でＰＤＰは’プラズマ表示装置の組立て体’の概念に含まれるものである）１００は、前面基板１０１と、背面基板１０２と、前記前面基板１０１の内面に配置されたＸ及びＹ電極１０３、１０４と、前記Ｘ及びＹ電極１０３、１０４を埋め込む前面誘電体層１０５と、前記前面誘電体層１０５の表面に蒸着される保護膜層１０６と、前記背面基板１０２の内面に配置され、Ｘ及びＹ電極１０３、１０４と交差する方向に位置して配置されているアドレス電極１０７と、前記アドレス電極１０７を埋め込む背面誘電体層１０８と、前記前面基板１０１と背面基板１０２との間に配置されて放電空間を区画する隔壁１０９と、前記隔壁１０９内に塗布された赤、緑、青色の蛍光体層１１０とを備えている。
【００２２】
図２は、本発明の一実施形態によるＰＤＰ  ２００を一部切開（切断）して示すものであり、図３は、図２のＩ−Ｉ線に沿って切開（切断）したものである。
【００２３】
図面を参照すれば、前記ＰＤＰ  ２００は、前面パネル２１０と、前記前面パネル２１０と対向して配置された背面パネル２６０とを備え、前記前面及び背面パネル２１０、２６０は、対向面のエッジに沿って塗布されるフリットガラスによって封着されて、内部空間が外部から密閉保護される。
【００２４】
前記前面パネル２１０には、透明な前面基板２１１、例えば、ソーダライムガラスが設けられている。前記前面基板２１１の下面には、パネル２００のＸ方向にＸ電極及びＹ電極２１２、２１３が形成されている。前記Ｘ電極及びＹ電極２１２、２１３は、放電セル別に一対ずつ位置し配置されている。
【００２５】
前記Ｘ電極２１２は、前記前面基板２１１の内面に形成された第１透明電極ライン２１２ａと、前記第１透明電極ライン２１２ａと重畳された第１バス電極ライン２１２ｂとを備えている。前記第１透明電極ライン２１２ａの内側壁には、前記Ｙ電極２１３に向かって第１突出部２１２ｃが所定大きさほど突出している。
【００２６】
前記Ｙ電極２１３はＸ電極２１２と実質的に対称する形状であり、前面基板２１１の内面に形成された第２透明電極ライン２１３ａと、前記第２透明電極ライン２１３ａと重畳された第２バス電極ライン２１３ｂとを備えている。前記第２透明電極ライン２１３ａの内側壁には、前記Ｘ電極２１２に向かって第２突出部２１３ｃが所定大きさほど突出している。
【００２７】
前記第１及び第２透明電極ライン２１２ａ、２１３ａは、前面基板２１１の開口率を向上させるために透明な導電膜、例えば、ＩＴＯ膜（Indium Tin Oxide Film）からなっている。前記第１及び第２バス電極ライン２１２ｂ、２１３ｂは、前記第１及び第２透明電極ライン２１２ａ、２１３ａのライン抵抗を減らし、導電性を向上させるために、導電性の優れた金属材、例えば、銀ペーストや、クロム−銅−クロム合金からなっている。
【００２８】
この時、一対のＸ及びＹ電極２１２、２１３と、これと隣接した他の一対のＸ及びＹ電極２１２、２１３との間の空間は、非放電領域に該当する。非放電領域には、コントラストを向上させるためにブラックストライプ層がさらに形成されうる。
【００２９】
前記Ｘ及びＹ電極２１２、２１３は、前面誘電体層２１４によって埋め込まれている。前記前面誘電体層２１４は、ガラスペーストに各種フィラーを添加してなっている。前記前面誘電体層２１４は、前記Ｘ及びＹ電極２１２、２１３がパターン化された部分にのみ選択的に印刷されることもでき、前記前面基板２１１の下面全領域に塗布されることもできる。前記前面誘電体層２１４の表面には、その破損を防止し、かつ２次電子放出量を増大させるために、酸化マグネシウム（ＭｇＯ）のような保護膜層２１５が蒸着されている。
【００３０】
前記背面パネル２６０には、背面基板２６１が設けられている。前記背面基板２６１上にはアドレス電極２６２が配置されている。前記アドレス電極２６２は、前記Ｘ及びＹ電極２１２、２１３と交差する方向に配置されている。前記アドレス電極２６２は、背面誘電体層２６３によって埋め込まれている。
【００３１】
一方、前記前面及び背面パネル２１０、２６０の間には、それらと共に放電空間を区画する隔壁２６４が形成されている。前記隔壁２６４は、アドレス電極２６２と交差する方向に配置された第１隔壁２６４ａと、前記アドレス電極２６２と平行した方向に配置された第２隔壁２６４ｂとを備えている。
【００３２】
一方、前記前面及び背面パネル２１０、２６０と、隔壁２６４とによって区画された放電セル内には、ネオン（Ｎｅ）−キセノン（Ｘｅ）や、ヘリウム（Ｈｅ）−キセノン（Ｘｅ）のような放電ガスが注入されている。
【００３３】
また、前記放電セル内には、放電ガスから発生した紫外線によって励起されて可視光線を放出する赤、緑、青色の蛍光体層２６５が塗布されている。前記赤、緑、青色の蛍光体層２６５は、放電セルのいかなる領域にも塗布されうるが、本実施形態では、隔壁２６４の内側に塗布されている。
【００３４】
ここで、前記前面パネル２１０と背面パネル２６０との間には、画像を具現する表示領域での反射輝度を低減させるために反射防止層３１０が設置されている。前記反射防止層３１０は、非放電領域のどこにも設置されうるが、放電空間を区画する隔壁２６４内に形成されることが望ましい。
【００３５】
より詳細には、後述する通りである。
【００３６】
前記前面パネル２１０と背面パネル２６０との間には、放電空間を区画する隔壁２６４が配置されている。前記隔壁２６４は、パネル２００のＸ方向に配置された第１隔壁２６４ａと、パネル２００のＹ方向に配置された第２隔壁２６４ｂとを備えている。前記第１隔壁２６４ａは、隣接した一対の第２隔壁２６４ｂの内側壁から対向する方向に一体に延びて形成されており、前記第１隔壁２６４ａと第２隔壁２６４ｂとの結合は、マトリックス状の放電空間を区画している。
【００３７】
代案としては、前記隔壁２６４はメアンダー型や、デルタ型や、蜂の巣型など多様な形態の実施形態が存在し、これによって区画された放電セルは、四角形以外にも他の形状の多角形や、円形などいかなる放電空間にも適用できる。
【００３８】
また、前記赤、緑、青色の蛍光体層２６５は、それぞれの放電セル別にコーティングされている。前記赤色の蛍光体層は（Ｙ，Ｇｄ）ＢＯ３；Ｅｕ＋３からなり、緑色の蛍光体層はＺｎ２ＳｉＯ４：Ｍｎ２＋からなり、青色の蛍光体層は、ＢａＭｇＡｌ１０Ｏ１７：Ｅｕ２＋からなることが望ましい。
【００３９】
この時、前記第１隔壁２６４ａには、所定形状の溝２６４ｃが形成されている。前記溝２６４ｃは反射防止層３１０で埋め込んでいる。
【００４０】
前記溝２６４ｃは、前記第１隔壁２６４ａの上端部からパネルの−Ｚ方向である垂直方向に所定深さほど形成されており、このような溝２６４ｃは、非放電空間に沿って第１隔壁２６４ａの長手方向に、第１隔壁２６４ａの一端から他端まで中空のストライプ（縞）状に形成されている。また、前記溝２６４ｃは、前記第１隔壁２６４ａの幅中央から下方にそれを貫通せず、１／２程度の深さまで形成されている。
【００４１】
代案としては、前記溝２６４ｃは、第１隔壁２６４ａではなく第２隔壁２６４ｂにも形成でき、前記第１及び第２隔壁２６４ａ、２６４ｂに同時に形成できる。また、前記溝２６４ｃは、連続的な帯状のストライプだけでなく、断続的な形状や、直線型ではない流線型など隔壁２６４内に溝を掘る形状ならばいずれでもよい。
【００４２】
前記反射防止層３１０は、第１隔壁２６４ａの上端部から溝２６４ｃの底面まで完全に埋め込んでいる。また、前記反射防止層３１０の幅Ｗ１は、前記第１隔壁２６４ａの幅Ｗ２より狭く形成されている。
【００４３】
このような反射防止層３１０は、反射輝度を低減させるために、着色された素材を利用することが望ましい。着色された素材としては、ＣａＭｇＳｉ２Ｏ８：Ｅｕ２＋を挙げられる。ＣａＭｇＳｉ２Ｏ８：Ｅｕ２＋は、ＣａとＭｇＯ６とＳｉＯ４との有機的な結合体であり、実質的に青色蛍光体層（B phosphor）として使われる物質である。
【００４４】
このようなＣａＭｇＳｉ２Ｏ８：Ｅｕ２＋をペースト形態に製造して、ディスペンサーのような塗布手段によって非放電空間、隔壁２６４内に塗布すれば、灰色を帯びる。このように灰色を帯びるＣａＭｇＳｉ２Ｏ８：Ｅｕ２＋は、パネルの駆動時に反射輝度を低減させてコントラストを向上させることができる。
【００４５】
代案としては、前記反射防止層３１０は、ＣａＭｇＳｉ２Ｏ８：Ｅｕ２＋と、本実施形態で青色の蛍光体層として使われるＢａＭｇＡｌ１０Ｏ１７：Ｅｕ２＋とを混合して使用することができる。
【００４６】
図４は、本発明の第２実施形態によるＰＤＰ  ４００を図示したものである。
【００４７】
図面を参照すれば、パネル（ＰＤＰ）４００には、前面及び背面パネル４１０、４６０が設けられている。前記前面パネル４１０は、前面基板４１１と、前記前面基板４１１上に交互に配置されたＸ及びＹ電極４１２、４１３と、それを埋め込む前面誘電体層４１４と、前記前面誘電体層４１４の表面に蒸着された保護膜層４１５とを備えている。前記背面パネル４６０は、背面基板４６１と、前記背面基板４６１上に配置されたアドレス電極４６２と、これを埋め込む背面誘電体層４６３とを備えている。
【００４８】
一方、前記前面パネル４１０と背面パネル４６０との間にはマトリックス型の隔壁４６４が配置されており、隔壁４６４の内側には、赤、緑、青色の蛍光体層４６５が塗布されている。前記隔壁４６４は、パネル（ＰＤＰ）４００のＸ方向に配置された第１隔壁４６４ａと、Ｙ方向に配置された第２隔壁４６４ｂとを備えている。
【００４９】
この時、前記第１隔壁４６４ａには、その長手方向に沿って溝部４６４ｃが形成されており、前記溝部４６４ｃは、反射防止層４９０によって埋め込まれている。前記反射防止層４９０は、第１隔壁４６４ａの上端部表面全体をカバーするだけでなく、これと同時に、第１隔壁４６４ａの幅方向中央から下方に所定深さほど形成された溝部４５４ｃを完全に埋め込んでいる。これにより、前記反射防止層４９０は、その断面を見た時“Ｔ”状になっている。前記反射防止層４９０は、前述したように着色の素材、例えば、ＣａＭｇＳｉ２Ｏ８：Ｅｕ２＋や、ＣａＭｇＳｉ２Ｏ８：Ｅｕ２＋とＢａＭｇＡｌ１０Ｏ１７：Ｅｕ２＋との混合物を使用することができる。
【００５０】
図５は、本発明の第３実施形態によるＰＤＰ  ５００を図示したものである。
【００５１】
図面を参照すれば、前面基板５１１の内側面には、放電維持電極対であるＸ及びＹ電極５１２、５１３が交互に配置され、それらは前面誘電体層５１４によって埋め込まれており、その表面には、２次放出量を増加させるために保護膜層５１５が蒸着されている。背面基板５６１の内側面には、Ｙ電極５１３と共にアドレッシング電圧が印加されて放電セルを選択するアドレス電極５６２が配置され、前記アドレス電極５６２は、背面誘電体層５６３によって埋め込まれている。
【００５２】
前記前面基板５１１と背面基板５６１との間には、放電空間を区画する隔壁５６４が配置され、隔壁５６４の内側には赤、緑、青色の蛍光体層５６５が塗布されている。
【００５３】
この時、前記隔壁５６４内には、反射防止層５９０が形成されている。
【００５４】
前記隔壁５６４には、パネル（ＰＤＰ）５００の一方向に沿って隔壁５６４の厚さ方向に貫通された溝５６４ｃが形成されている。前記溝５６４ｃは、隔壁５６４の幅方向中央から下方に隔壁５６４を貫通し、隔壁５６４の幅より狭いストライプ状の中空である。前記反射防止層５９０は、隔壁５６４の中央を貫通した溝５６４ｃを完全に埋め込むように塗布されている。前記反射防止層５９０は、前述したように反射輝度を低減させるために着色された素材からなっている。
【００５５】
図６は、本発明の第４実施形態によるＰＤＰ  ６００を図示したものである。
【００５６】
図面を参照すれば、前面基板６１１と背面基板６６１とが互いに対向して配置されている。前記前面基板６１１の内面には、維持放電電圧が印加されるＸ及びＹ電極６１２、６１３が交互に配置され、それらは前面誘電体層６１４によって埋め込まれ、その表面には保護膜層６１５が蒸着されている。前記背面基板６６１の内面には、アドレッシング電圧が印加されるアドレス電極６６２が配置され、それは背面誘電体層６６３によって埋め込まれている。前記前面基板６１１と背面基板６６１との間には隔壁６６４が配置され、隔壁６６４内には、赤、緑、青色の蛍光体層６６５が塗布されている。
【００５７】
本実施形態では、前記隔壁６６４内に反射輝度を低減させるために反射防止層６９０が配置され、これと同時に、真空排気中にパネルの内部に残存する排ガスを排出できるように、排気通路部６８０が設置されている。
【００５８】
前記隔壁６６４には、パネル（ＰＤＰ）６００の一方向に沿って所定深さの溝６６４ｃが形成されている。前記溝６６４ｃは、隔壁６６４の一端から他端までストライプ状の中空で形成されており、隔壁６６４の上端部から幅方向の下方に所定深さほど形成されている。
【００５９】
前記溝６６４ｃ内には反射防止層６９０が形成されている。この時、前記反射防止層６９０は、前記溝６６４ｃを全体的に埋め込むものではなく、埋め込まれた部分のうち一部を開口させて溝状の排気通路部６８０を形成している。前記排気通路部６８０は、前記隔壁６６４の長手方向に沿って形成されて、真空排気中に排ガスを排出できる。一方、前記反射防止層６９０は、着色された素材からなっている。
【００６０】
以上のような構造を持つＰＤＰ  ２００の作用を、図２及び図３を参照して説明すれば、次の通りである。
【００６１】
まず、外部の電源からアドレス電極２６２とＹ電極２１３との間に所定のパルス電圧が印加されれば、発光する放電セルが選択される。選択された放電セルの内側面には、壁電荷が蓄積される。
【００６２】
次いで、Ｘ電極２１２に“＋”電圧が印加され、Ｙ電極２１３にこれより相対的に高い電圧が印加されれば、Ｘ電極２１２とＹ電極２１３との間に印加された電圧差によって壁電荷が移動する。
【００６３】
壁電荷の移動によって、放電セル内の放電ガス原子と衝突しつつ放電を起こしてプラズマを生成させ、このような放電は、相対的に強い電界が形成されるＸ電極２１２とＹ電極２１３とのギャップから始まって外側に拡大される。
【００６４】
このような方式で、放電が形成された後には、Ｘ電極２１２とＹ電極２１３との電圧差が放電電圧より低くなれば、放電はそれ以上発生せず、空間電荷及び壁電荷が放電セルに形成される。
【００６５】
この時、Ｘ電極２１２及びＹ電極２１３に印加された電圧の極性を互いに取り替えれば、壁電荷に助けられて放電が再び発生する。このようにＸ電極２１２及びＹ電極２１３の極性を直ちに取り替えれば、最初の放電過程が反復される。このような過程を反復しつつ放電が安定的に発生する。
【００６６】
この時、放電によって生成された紫外線は、各放電セルに塗布されている蛍光体層２６５の蛍光物質を励起させる。このような過程を通じて可視光を得る。生成された可視光は放電セルに放出されて、静止画または動画を具現する。
【００６７】
この時、非放電空間の隔壁２６４には溝２６４ｃが形成され、溝２６４ｃは着色の素材からなる反射防止層３１０によって埋め込まれていて、静止画または動画を具現するパネルの表示領域で反射輝度を低減させる。
【００６８】
本発明は、図面に図示された実施形態を参考と説明されたが、これは例示的なものに過ぎず、当業者ならば、これより多様な変形及び均等な他の実施形態が可能であるという点を理解できる。したがって、本発明の真の技術的保護範囲は、特許請求の範囲の技術的思想によって定められねばならない。
【産業上の利用可能性】
【００６９】
本発明は、隔壁の一部に溝を掘ったＰＤＰを提供して、溝内に着色の素材からなる反射防止層を形成し、駆動中に反射輝度を低減させる。
【図面の簡単な説明】
【００７０】
【図１】通常的なＰＤＰを示す断面図である。
【図２】本発明の第１実施形態によるＰＤＰを一部切開して示す分離斜視図である。
【図３】図１のＩ−Ｉ線の断面図である。
【図４】本発明の第２実施形態によるＰＤＰを一部切開して示す分離斜視図である。
【図５】本発明の第３実施形態によるＰＤＰを示す断面図である。
【図６】本発明の第４実施形態によるＰＤＰを示す断面図である。
【符号の説明】
【００７１】
２００    ＰＤＰ
２１０    前面パネル
２１１    前面基板
２１２    Ｘ電極
２１２ａ    第１透明電極ライン
２１２ｂ    第１バス電極ライン
２１２ｃ    第１突出部
２１３    Ｙ電極
２１３ａ    第２透明電極ライン
２１３ｂ    第２バス電極ライン
２１３ｃ    第２突出部
２１４    前面誘電体層
２１５    保護膜層
２６０    背面パネル
２６１    背面基板
２６２    アドレス電極
２６３    背面誘電体層
２６４    隔壁
２６４ａ    第１隔壁
２６４ｂ    第２隔壁
２６５    赤、緑、青色の蛍光体層
３１０    反射防止層
【図１】
2006114482.tif 000003
【図２】
2006114482.tif 000004
【図３】
2006114482.tif 000005
【図４】
2006114482.tif 000006
【図５】
2006114482.tif 000007
【図６】
2006114482.tif 000008